【手続補正書】
【提出日】平成19年9月3日(2007.9.3)
【手続補正１】
【補正対象書類名】明細書
【補正対象項目名】発明の名称
【補正方法】変更
【補正の内容】
【発明の名称】商品管理システムおよび商品管理装置
【手続補正２】
【補正対象書類名】明細書
【補正対象項目名】特許請求の範囲
【補正方法】変更
【補正の内容】
【特許請求の範囲】
【請求項１】  商品に取付けられ、その商品に関する情報を記憶する無線タグと、
無線タグに記憶される情報を無線で読み取り、その商品の商品価値情報、およびその商品の日時に関する日時情報を得る管理装置とから構成される商品管理システム。
【請求項２】  前記管理装置は、現在日時を計時する時計手段を有し、読み取った商品の日時情報と、前記時計手段からの現在日時に基づいて、読み取った商品の商品価値情報を変更することを特徴とする請求項１記載の商品管理システム。
【請求項３】  商品に取付けられ、その商品に関する情報を記憶する無線タグを、読み書きするＲＦＩＤ無線手段と、
現在時刻を計時する計時手段と、
前記ＲＦＩＤ無線手段で読取った情報に含まれる商品の日時情報と、
前記計時手段からの現在時刻に基づいて、読取った商品の商品価値情報を変更する商品価値情報処理手段を有することを特徴とする商品管理装置。
【請求項４】  前記管理装置は、表示手段を有し、陳列される商品の近傍に配置され、前記表示手段で、変更された商品価値情報を表示することを特徴とする請求項２記載の商品管理システム。
【請求項５】  表示手段を有し、陳列される商品の近傍に配置され、前記表示手段で、変更された商品価値情報を表示することを特徴とする請求項３記載の商品管理装置。
【請求項６】  前記管理装置は、商品とともに店頭に配置され、管理装置で無線タグを読み取り、変更された商品価値情報を確認可能とすることを特徴とする請求項２記載の商品管理システム。
【請求項７】  商品とともに店頭に配置され、無線タグを読取り、変更された商品価値情報を確認可能とすることを特徴とする請求項３記載の商品管理装置。
【請求項８】  前記管理装置による変更された商品価値情報に基づいて商品の精算を行なうことを特徴とする請求項２記載の商品管理システム。
【請求項９】  前記管理装置は、一度に複数の商品の無線タグを読み取り、読み取った情報に基づいて廃棄すべき商品を判断することを特徴とする請求項２記載の商品管理システム。
【請求項１０】前記商品管理装置は、一度に複数の商品の無線タグを読取り、読取った情報に基づいて廃棄すべき商品を判断することを特徴とする請求項３記載の商品管理装置。
【請求項１１】前記商品管理装置は、表示手段を有し、廃棄すべき商品を前記表示手段に表示することを特徴とする請求項１０記載の商品管理装置。
【請求項１２】  商品には、商品価値に応じてラベルが貼り付けられ、商品価値に応じたラベルが選択できるように、前記管理装置は、変更された商品価値情報を表示する表示手段を有することを特徴とする請求項２記載の商品管理システム。
【請求項１３】  商品には、商品価値に応じてラベルが貼り付けられ、商品価値に応じたラベルが選択できるように、変更された商品価値情報を表示する表示手段を有することを特徴とする請求項３記載の商品管理装置。
【請求項１４】  前記管理装置は、変更した商品価値情報を印刷し、商品に貼りつけられるラベルを印刷する印刷手段を有することを特徴とする請求項２記載の商品管理システム。
【請求項１５】  前記管理装置は、複数の無線タグを一度に読み取ることによって、必要なラベルをまとめて印刷することを特徴とする請求項１２記載の商品管理システム。
【請求項１６】  前記商品管理装置は、変更した商品価値情報を印刷し、商品に貼付けられるラベルを印刷する印刷手段を有することを特徴とする請求項３記載の商品管理装置。
【請求項１７】  複数の無線タグを一度に読取ることによって、必要なラベルをまとめて印刷することを特徴とする請求項１３記載の商品管理装置。
【請求項１８】  前記管理装置は、商品に印刷されている情報と、ラベルに印刷する情報とを対応させて表示させる表示手段を有することを特徴とする請求項１４記載の商品管理システム。
【請求項１９】  前記管理装置は、ラベルを貼り付けるべき商品の無線タグを読み取り、貼り付けるべきラベルを表示する表示手段を有することを特徴とする請求項１４記載の商品管理システム。
【手続補正３】
【補正対象書類名】明細書
【補正対象項目名】０００１
【補正方法】変更
【補正の内容】
【０００１】
【発明の属する技術分野】
本発明は、無線タグを用いて商品管理を行なう商品管理システムおよび商品管理装置に関する。
【手続補正４】
【補正対象書類名】明細書
【補正対象項目名】０００６
【補正方法】変更
【補正の内容】
【０００６】
本発明の目的は、商品の鮮度を管理し、容易に価格などの商品価値情報を変更することができる商品管理システムおよび商品管理装置を提供する。
【手続補正５】
【補正対象書類名】明細書
【補正対象項目名】０００８
【補正方法】変更
【補正の内容】
【０００８】
また本発明の前記管理装置は、現在日時を計時する時計手段を有し、読み取った商品の日時情報と、前記時計手段からの現在日時に基づいて、読み取った商品の商品価値情報を変更することを特徴とする。
また本発明は、商品に取付けられ、その商品に関する情報を記憶する無線タグを、読み書きするＲＦＩＤ無線手段と、
現在時刻を計時する計時手段と、
前記ＲＦＩＤ無線手段で読取った情報に含まれる商品の日時情報と、
前記計時手段からの現在時刻に基づいて、読取った商品の商品価値情報を変更する商品価値情報処理手段を有する商品管理装置である。
【手続補正６】
【補正対象書類名】明細書
【補正対象項目名】０００９
【補正方法】変更
【補正の内容】
【０００９】
店頭に並べられる各商品には無線タグが貼りつけられ、この無線タグには、その商品の価格などの商品価値情報、およびその商品の賞味期限や製造年月日、入荷日などの日時情報が予め記憶されている。管理装置および商品管理装置は、各商品に貼り付けられた無線タグから商品価値情報および日付情報を無線電磁波で読み出す。管理装置および商品管理装置は、現在日時を計時する時計手段を有し、この時計手段による現在日時と、賞味期限などの商品の日時情報とに基づいて、商品価格の割引や特典の実施など、商品価値情報を変更する。
【手続補正７】
【補正対象書類名】明細書
【補正対象項目名】００１１
【補正方法】変更
【補正の内容】
【００１１】
また本発明の前記管理装置は、表示手段を有し、陳列される商品の近傍に配置され、前記表示手段によって変更された商品価値を表示することを特徴とする。
また本発明の前記商品管理装置は、表示手段を有し、陳列される商品の近傍に配置され、前記表示手段で、変更された商品価値情報を表示することを特徴とする。
【手続補正８】
【補正対象書類名】明細書
【補正対象項目名】００１３
【補正方法】変更
【補正の内容】
【００１３】
また本発明の前記管理装置は、商品とともに店頭に配置され、管理装置で無線タグを読み取り、変更された商品価値情報を確認可能とすることを特徴とする。
また本発明の前記商品管理装置は、商品とともに店頭に配置され、無線タグを読取り、変更された商品価値情報を確認可能とすることを特徴とする。
【手続補正９】
【補正対象書類名】明細書
【補正対象項目名】００１７
【補正方法】変更
【補正の内容】
【００１７】
また本発明の前記管理装置は、一度に複数の商品の無線タグを読み取り、読み取った情報に基づいて廃棄すべき商品を判断することを特徴とする。
また本発明の前記商品管理装置は、一度に複数の商品の無線タグを読み取り、読み取った情報に基づいて廃棄すべき商品を判断することを特徴とする。
【手続補正１０】
【補正対象書類名】明細書
【補正対象項目名】００１８
【補正方法】変更
【補正の内容】
【００１８】
たとえば商品が賞味期限切れの場合には、廃棄処分を行なう必要がある。本発明に従えば、管理装置および商品管理装置によって、複数の商品の無線タグの日時情報を一括あるいは複数に分割して読み取り、その情報に基づいて廃棄すべき商品の有無をまとめて判断することができ、商品を一品一品検品するのに対して、手間がかからず、早く処理できる。
また本発明の商品管理装置は、表示手段を有し、廃棄すべき商品を前記表示手段に表示することを特徴とする。
【手続補正１１】
【補正対象書類名】明細書
【補正対象項目名】００１９
【補正方法】変更
【補正の内容】
【００１９】
また本発明の商品には、商品価値に応じてラベルが貼り付けられ、商品価値に応じたラベルが選択できるように、前記管理装置は、変更された商品価値情報を表示する表示手段を有することを特徴とする。
また本発明の商品管理装置は、商品には、商品価値に応じてラベルが貼り付けられ、商品価値に応じたラベルが選択できるように、変更された商品価値情報を表示する表示手段を有することを特徴とする。
【手続補正１２】
【補正対象書類名】明細書
【補正対象項目名】００２０
【補正方法】変更
【補正の内容】
【００２０】
商品には、価格を表示したラベルが予め貼り付けられており、同一商品であっても、賞味期限が短くなったときには価格を下げたラベルをさらに貼り付けるが、これは店員が行なう。本発明では、管理装置および商品管理装置は、無線タグの日時情報を読み取り、その内容から新しい価格情報（商品価値情報）を判断して表示する。これによって、店員がその情報を見ながら新しい価格のラベルを商品に貼付けることにより、ラベルの貼り間違いがなくなる。
【手続補正１３】
【補正対象書類名】明細書
【補正対象項目名】００２１
【補正方法】変更
【補正の内容】
【００２１】
また本発明の前記管理装置は、変更した商品価値情報を印刷し、商品に貼りつけられるラベルを印刷する印刷手段を有することを特徴とする。
また本発明の前記商品管理装置は、変更した商品価値情報を印刷し、商品に貼りつけられるラベルを印刷する印刷手段を有することを特徴とする。
【手続補正１４】
【補正対象書類名】明細書
【補正対象項目名】００２３
【補正方法】変更
【補正の内容】
【００２３】
また本発明の前記管理装置は、複数の無線タグを一度に読み取ることによって、必要なラベルをまとめて印刷することを特徴とする。
また本発明の前記商品管理装置は、複数の無線タグを一度に読み取ることによって、必要なラベルをまとめて印刷することを特徴とする。
【手続補正１５】
【補正対象書類名】明細書
【補正対象項目名】００２９
【補正方法】変更
【補正の内容】
【００２９】
【発明の実施の形態】
本発明の商品管理システムは、食品などの鮮度管理が必要な商品に適用され、商品に貼り付けられる無線タグと、無線タグに記憶される情報を電磁波で読み出す管理装置とから構成される。無線タグは、情報を記憶することができ、管理装置は、無線タグの情報を無線で読み取る手段と、カレンダーおよび時計機能を有し、現在日時を計時する時計手段を内蔵する。管理装置は、商品管理装置である。